(57)【要約】【課題】  製造に手間がかからない、高精度な電流検出装置、およびこれを用いた電力量計を提供することを目的とする。【解決手段】  測定電流に正比例した磁界を発生する一次導体１１０の周囲に、当該一次導体１１０にて発生された磁界を検出する複数のコイル部１２０、１３０と、複数のコイル部１２０、１３０を支持するとともに、複数のコイル部１２０、１３０と磁気的に直列になるよう接続された、磁性体により構成された支持部１４０、１５０を設け、一次導体１１０により発生された磁界を周回して検出するようにした。【選択図】  図１
2010256141.tif 000002
【特許請求の範囲】
【請求項１】
被測定電流を導通させる金属導体からなる導電部と、
前記導電部の断面方向に対し周回するように配置され、電気的に直列に接続された複数のコイルと、
前記複数のコイルのうち隣接するコイルの端を係合支持するとともに、前記隣接するコイルと磁気的に直列に接続された磁性体からなる複数の支持部と
を具備したことを特徴とする電流検出装置。
【請求項２】
前記複数のコイルは、同一形状からなることを特徴とする請求項１記載の電流検出装置。
【請求項３】
前記複数の支持部は、同一形状からなることを特徴とする請求項１乃至２のいずれか１項記載の電流検出装置。
【請求項４】
前記複数のコイルの、コイル端を形成するコイル導線が、前記支持部に覆われていることを特徴とする請求項１乃至３のいずれか１項記載の電流検出装置。
【請求項５】
前記複数のコイルは、非磁性体からなる芯材を具備したことを特徴とする請求項１乃至４のいずれか１項記載の電流検出装置。
【請求項６】
前記複数のコイルは、接合剤によりコイル導線同士が接合され形成されたことを特徴とする請求項１乃至４のいずれか１項記載の電流検出装置。
【請求項７】
前記複数のコイルは、高さ方向が略直線状である円柱形状であることを特徴とする請求項１乃至６のいずれか１項記載の電流検出装置。
【請求項８】
前記複数のコイルは、高さ方向が円弧状である円柱形状であることを特徴とする請求項１乃至６のいずれか１項記載の電流検出装置。
【請求項９】
前記複数の支持部のうち少なくとも一つは、前記複数のコイルのうち支持係合するコイルと着脱可能であることを特徴とする請求項１乃至８のいずれか１項記載の電流検出装置。
【請求項１０】
前記複数のコイルは、複数層に重ねて巻かれたコイル導線を有しており、
前記複数のコイルのうち少なくとも一つのコイルの最外層に巻かれたコイル導線が電気的に接続されている外部回路接続用端子を具備したことを特徴とする請求項１乃至９のいずれか１項記載の電流検出装置。
【請求項１１】
前記複数のコイルは、前記導電部の断面に対し周回しない接続線にて電気的に直列に接続されたことを特徴とする請求項１乃至１０のいずれか１項記載の電流検出装置。
【請求項１２】
被測定電流を導通させる金属導体からなる導電部と、
前記導電部に近接して配置されたコイルと、
前記コイルの両端を係合支持するとともに、前記導電部の断面方向に対し前記コイルとともに周回するように配置された磁性体からなる支持部と
を具備したことを特徴とする電流検出装置。
【請求項１３】
金属導体からなる導電部と、
前記導電部の断面方向に対し周回するように配置され、電気的に直列に接続された複数のコイルと、
前記複数のコイルのうち隣接するコイルの端を係合支持するとともに、前記隣接するコイルと磁気的に直列に接続された磁性体からなる複数の支持部と
からなり、前記導電部に流れる被測定系の電流を検出する電流検出手段と、
被測定系の電圧を検出する電圧検出手段と、
前記電流検出手段により検出された前記被測定系の電流にかかる信号と、前記電圧検出手段により検出された前記被測定系の電圧にかかる信号とから、電力量に関するデータを演算する電力演算手段と
を具備したことを特徴とする電力量計。
【発明の詳細な説明】
【技術分野】
【０００１】
本発明は、磁電変換により導体を流れる電流の大きさを検出する電流検出装置およびこれを用いた電力量計に関する。
【背景技術】
【０００２】
従来より、一般家庭や工場、事業所の負荷電流を検出する電流検出装置が普及してきている。当該電流検出装置は負荷電流を磁界に変換するコイルを構成する一次導体と、当該コイルを構成する一次導体により発生された磁界を検出する磁電変換部とを具備している。（例えば特許文献１）
【先行技術文献】
【特許文献】
【０００３】
【特許文献１】特開２００５−３７２９７号公報（第１２頁、図８）
【発明の概要】
【発明が解決しようとする課題】
【０００４】
一般的に電流検出装置は、負荷電流を磁界に変換するコイルを構成する一次導体と、当該コイルを構成する一次導体により発生された磁界を検出する磁電変換部とを具備している。
【０００５】
当該磁電変換部は、トロイダルコアといわれるドーナツ状の磁性体コアに、導線を巻いたコイルにより形成されるが、当該ドーナツ状の磁性体コアにエナメル線のような導線を巻きつける製造に手間がかかるため高価なものとなってしまうという問題点があった。一方、トロイダルコアを用いず、棒状の磁性体コアに導線を巻いたコイルを磁電変換部とし一次導体に近接させ一次導体に流れる電流が発生する磁界を検出する方式を用いた電流検出装置も存在する。しかしながら棒状の磁性体コアに導線を巻いたコイルを磁電変換部とした電流検出装置は一次導体の周囲を磁電変換部が取り巻いていないため、一次導体と磁電変換部の位置が変わってしまうと出力される信号の値が変わってしまうため精度よく電流を検出することができないという問題点があった。
【０００６】
本発明は前記問題点に鑑み、製造に手間がかからない、高精度な電流検出装置、およびこれを用いた電力量計を提供することを目的とする。
【課題を解決するための手段】
【０００７】
上記目的を達成するために、本発明による電流検出装置は、被測定電流を導通させる金属導体からなる導電部と、前記導電部の断面方向に対し周回するように配置され、電気的に直列に接続された複数のコイルと、前記複数のコイルのうち隣接するコイルの端を係合支持するとともに、前記隣接するコイルと磁気的に直列に接続された磁性体からなる複数の支持部とを具備したことを特徴とする。
【０００８】
また、上記目的を達成するために、本発明による電力量計は、金属導体からなる導電部と、前記導電部の断面方向に対し周回するように配置され、電気的に直列に接続された複数のコイルと、前記複数のコイルのうち隣接するコイルの端を係合支持するとともに、前記隣接するコイルと磁気的に直列に接続された磁性体からなる複数の支持部とからなり、前記導電部に流れる被測定系の電流を検出する電流検出手段と、被測定系の電圧を検出する電圧検出手段と、前記電流検出手段により検出された前記被測定系の電流にかかる信号と、前記電圧検出手段により検出された前記被測定系の電圧にかかる信号とから、電力量に関するデータを演算する電力演算手段とを具備したことを特徴とする。
【発明の効果】
【０００９】
本発明によれば、製造に手間がかからない、高精度な電流検出装置、およびこれを用いた電力量計を提供することができる。
【図面の簡単な説明】
【００１０】
【図１】本発明による実施例１にかかる電流検出装置を示す斜視図
【図２】本発明による実施例１にかかる電流検出装置を示す組立図
【図３】本発明による実施例１にかかる電流検出装置を示す断面図
【図４】本発明による実施例１にかかる電流検出装置の変形例を示す図
【図５】本発明による実施例１にかかる電流検出装置の変形例を示す図
【図６】本発明による実施例２にかかる電流検出装置の構造を示す図
【図７】本発明による実施例３にかかる電流検出装置の構造を示す図
【図８】本発明による実施例４にかかる電力量計の構成を示すブロック図
【発明を実施するための形態】
【００１１】
以下、本発明の実施例を説明する。
【００１２】
［実施例１］
本発明による電流検出装置の実施例１につき、図１乃至図３を参照して説明する。図１は本発明による電流検出装置の実施例１を示す斜視図である。
【００１３】
図１において、１００は電流検出装置本体である。
【００１４】
１１０は一次導体で、鉄、銅等の導電性のある金属により構成されており、負荷電流を導通し、負荷電流に対応した磁界を発生する。
【００１５】
１２０ならびに１３０はコイル部で、フェノールやベークのような導電性のない芯材にエナメル線のような導線が巻きつけられたコイルであり、一次導体１１０に流れる電流に対応した低レベルの電流や電圧等の電気信号を出力する。なお、コイル部１２０，１３０は中空構造の芯材を有するものであっても良いし、内部まで材質が充填されている芯材を有するものであっても良い。フェライトやパーマロイ等の磁性体を芯材とするものであってもよい。また、コイル部１２０、１３０は芯材を具備せず、融着材料や接着剤等の接合剤によりコイル導線同士が接合されてコイルが形成されたものであってもよい。
【００１６】
１４０ならびに１５０は支持部で、フェライトやパーマロイ等の磁性体により構成されており、コイル部１２０ならびに１３０を挟み込み支える。
【００１７】
１６０は接続線で、コイル部１２０とコイル部１３０を電気的に直列に接続する。
【００１８】
１７０、１８０は出力端子で、一次導体１１０に流れる電流に対応した低レベルの電流や電圧等の電気信号を出力する。
【００１９】
図２は、電流検出装置１００の組立て図である。
【００２０】
支持部１４０は、凹部２０１ならびに凹部２０２を有しており、コイル部１２０ならびにコイル部１３０の片端に係合させられる。その後一次導体１１０がコイル部１２０、１３０の間に配置される。さらにその後、支持部１５０の、凹部２０３ならびに凹部２０４に、コイル部１２０ならびにコイル部１３０の他方の片端が係合させられる。
【００２１】
図３は、電流検出装置１００の断面図である。上記のような組立てにより、各部は図３のように組み合わせられる。支持部１４０ならびに支持部１５０と、コイル部１２０ならびにコイル部１３０の固定は、接着剤等により固定される。また、支持部１４０ならびに支持部１５０と、コイル部１２０ならびにコイル部１３０は、取り外し可能なように擦り合わせにより係合されていてもよい。
【００２２】
次に、本実施例の動作について図３を参照しつつ説明する。
【００２３】
コイル部１２０、１３０は、一次導体１１０に流れる電流により発生された磁界を受け、当該電流に対応した電気信号をコイル導線に発生する。コイル部１２０，１３０のコイル導線の一方の端は、接続線１６０によりコイル部１２０、１３０が電気的に直列接続となるように接続されている。また、コイル部１２０、１３０のコイル導線の他方の端は出力端子１７０、１８０に接続されており、出力端子１７０、１８０には一次導体１１０に流れる電流に対応した電気信号が出力される。コイル部１２０，１３０の芯材は中空構造であっても良いし内部まで芯材を形成する材質が充填されていても良い。また、フェライトやパーマロイ等の磁性体により構成されていても良い。また、コイル部１２０、１３０は芯材を具備せず、融着材料や接着剤等の接合剤によりコイル導線同士が接合されてコイルが形成されたものであってもよい。芯材に非磁性体を用いた場合、または芯材を持たないコイルとした場合、コイル部１２０，１３０は所謂空芯結合コイルとなる。
【００２４】
支持部１４０ならびに１５０は、コイル部１２０ならびに１３０を機械的に固定する。支持部１４０ならびに１５０は、フェライトやパーマロイ等の磁性体により構成されており磁気抵抗が低いため、一次導体１１０に流れる電流により発生された磁界をコイル部１２０ならびに１３０に伝達する。コイル部１２０、１３０、支持部１４０、１５０により一次導体１１０を周回した構成となっているため、ビオ・サバールの法則、アンペールの周回積分の法則により、コイル部１２０、１３０、支持部１４０、１５０に対し一次導体１１０の位置がずれても精度よく、一次導体１１０に流れる電流を検出することができる。
【００２５】
本実施例では、コイル部１２０、１３０が支持部１４０の凹部２０１、２０２ならびに支持部１５０の凹部２０３、２０４に係合する構造としたが、支持部１４０、１５０は凹部を具備しないものし、コイル部１２０、１３０が支持部１４０、１５０に接着剤等で固定される構造としてもよい。
【００２６】
本実施例を用いれば、製造に手間がかからない、高精度な電流検出装置を提供することができる。
【００２７】
コイル部１２０、１３０は円柱状にエナメル線等のコイル導線が巻かれて製作されるため、ドーナツ状の芯材にコイル導線が巻きつけられて製作されるトロイダル型のコイルより製造が容易である。
【００２８】
また、コイル部１２０、１３０は同一部品であり、コイル部の製造が容易であるとともに、コイル部を構成する芯材も同一部品とすることができ、芯材の製造に要する型等も節約することができる。
【００２９】
また、支持部１４０、１５０は同一部品であり、支持部の製造が容易であるとともに、支持部の製造に要する型等も節約することができ経済的である。
【００３０】
また、コイル部１２０、１３０のコイル端部を形成するコイル導線が、磁性体からなる支持部１４０、１５０の凹部に挿入されているため、外部磁界ノイズに対して強い電流検出装置を提供することができる。
【００３１】
また、図４に示すように電流検出装置を構成してもよい。コイル部１２０は中空構造となっており、コイルを形成するコイル導線の一端が、コイル部１２０の内部を通されている線材４０１に電気的に接続されている。コイル部１３０は中空構造となっており、コイルを形成するコイル導線の一端が、コイル１３０の内部を通されている線材４０２に電気的に接続されている。線材４０１と線材４０２は、線材４０３により支持部１４０側で電気的に接続されている。これにより、コイル部１２０とコイル部１３０は電気的に直列に接続される。
【００３２】
このように構成されることにより、線材４０３が、出力端子１７０、１８０と同じ支持部１４０側に設けられるので電流検出装置の組立てが容易となる。
【００３３】
また、コイル部１２０とコイル部１３０を電気的に接続する接続線を支持部１５０側に設けた場合、コイル導線ならびに接続線でループを形成してしまうが、線材４０３が出力端子１７０、１８０と同じ支持部１４０側に設けられたことによりループ状にならず外部磁界ノイズに対して強い電流検出装置を提供することができる。
【００３４】
また、支持部１５０が、コイル部１２０、１３０に対し着脱可能なように電流検出装置を構成すれば、クランプ型の電流検出装置とすることが可能である。線材４０３が支持部１４０側に設けられているため、電流検出装置を一次導線１１０に取り付ける際に邪魔にならないからである。
【００３５】
また、図５に示すように電流検出装置を構成してもよい。コイル部１２０、１３０のコイル導線は多重巻きとされており、コイル１２０の最外層に巻かれたコイル導線の端と、コイル１３０の最外層に巻かれたコイル導線の端は接続線５０１にて電気的に接続されている。これにより、コイル部１２０とコイル部１３０は電気的に直列に接続される。さらに接続線５０１に電気的に接続された中間端子５０２が設けられ、当該中間端子５０２は後段回路５１０の接地電位５１１に接続されている。また、出力端子１７０及び１８０はシールド線５２０を介し後段回路５１０に接続されており、シールド線５２０のシールド部分は後段回路５１０の接地電位５１１に接続されている。コイル部１２０、１３０の多重巻きにされたコイル導線の層を偶数層にすると、支持部１４０側でコイル部１２０とコイル部１３０は、線材５０１により電気的に接続されることになる。
【００３６】
このように構成されることにより、最外層に巻かれたコイル導線が接地電位となるため、電気的な外乱を受けにくくなる。
【００３７】
また、コイル部１２０、１３０の多重巻きにされたコイル導線の層を偶数層にすると、線材５０１が、出力端子１７０、１８０と同じ支持部１４０側に設けられるので電流検出装置の組立てが容易となる。
【００３８】
本発明を用いれば、製造に手間がかからない、高精度な電流検出装置を提供することができる。
【００３９】
［実施例２］
本発明による電流検出装置の実施例２につき、図６を参照して説明する。図６は実施例２にかかる電流検出装置の磁電変換部６００を示す図（断面図）である。なお、この実施例２の各部について図３に示す実施例１における磁電変換部１００の各部と同一部分は同一符号で示す。
この実施例２が、実施例１と相違する点は、実施例１ではコイル部１２０ならびに１３０が直線状の形状をしているのに対し、実施例２では、コイル部６１０ならびに６２０が半円の円弧状の形状をしている点である。
【００４０】
１１０は一次導体で、鉄、銅等の導電性のある金属により構成されており、負荷電流を導通し、負荷電流に正比例した磁界を発生する。
【００４１】
６１０ならびに６２０はコイル部で、フェノールやベークのような導電性のない芯材にエナメル線のような導線が巻きつけられたコイルであり、一次導体１１０に流れる電流に対応した電気信号を出力する。なお、コイル部６１０、６２０は中空構造の芯材を有するものであっても良いし、内部まで材質が充填されている芯材を有するものであっても良い。フェライトやパーマロイ等の磁性体を芯材とするものであってもよい。また、コイル部６１０、６２０は芯材を具備せず、融着材料や接着剤等の接合剤によりコイル導線同士が接合されてコイルが形成されたものであってもよい。６３０ならびに６４０は支持部で、フェライトやパーマロイ等の磁性体により構成されており、コイル部６１０ならびに６２０を支える。
【００４２】
コイル部６１０、６２０は、一次導体１１０に流れる電流により発生された磁界を受け、当該電流に対応した電気信号をコイル導線に発生する。コイル部６１０、６２０のコイル導線の一方の端は、コイル部６１０、６２０が電気的に直列接続となるように接続されている。また、コイル部６１０、６２０のコイル導線の他方の端は、出力端子１７０、１８０に接続されており、出力端子１７０、１８０には一次導体１１０に流れる電流に対応した電気信号が出力される。コイル部６１０、６２０は、中空構造であっても良いし内部まで芯材を形成する材質が充填されていても良い。また、フェライトやパーマロイ等の磁性体により構成されていても良い。また、コイル部６１０、６２０は芯材を具備せず、融着材料や接着剤等の接合剤によりコイル導線同士が接合されてコイルが形成されたものであってもよい。
【００４３】
支持部６３０ならびに６４０は、コイル部６１０ならびに６２０を機械的に固定する。また、支持部６３０ならびに６４０は、フェライトやパーマロイ等の磁性体により構成されており磁気抵抗が低いため、一次導体１１０に流れる電流により発生された磁界をコイル部６１０ならびに６２０に伝達する。コイル部６１０、６２０、支持部６３０、６４０により一次導体１１０を周回した構成となっているため、ビオ・サバールの法則、アンペールの周回積分の法則により、コイル部６１０、６２０、支持部６３０、６４０に対し一次導体１１０の位置がずれても精度よく、一次導体１１０に流れる電流を検出することができる。
【００４４】
また、本実施例ではコイル部６１０、６２０の二つのコイル部と支持部６３０、６４０の二つの支持部を具備しているが、円弧状に湾曲したコイル部を導電部１１０に近接して一つ設け、導電部１１０の断面方向に対しコイル部とともに周回するように配置された、コイル部の両端を係合支持するとともに磁気的に導通させる磁性体からなる支持部を一つ設けるようにしてもよい。
【００４５】
本実施例を用いれば、製造に手間がかからない、高精度な電流検出装置を提供することができる。
【００４６】
コイル部６１０、６２０は半円形状にエナメル線等のコイル導線が巻かれて製作されるため、ドーナツ状の芯材にコイル線材が巻きつけられて製作されるトロイダル型のコイルより製造が容易である。
【００４７】
また、コイル部６１０、６２０は同一部品であり、コイル部の製造が容易であるとともに、コイル部を構成する芯材も同一部品とすることができ、芯材の製造に要する型等も節約することができる。
【００４８】
また、支持部６３０、６４０は同一部品であり、支持部の製造が容易であるとともに、支持部の製造に要する型等も節約することができ経済的である。
【００４９】
本発明を用いれば、製造に手間がかからない、高精度な電流検出装置を提供することができる。
【００５０】
［実施例３］
本発明による電流検出装置の実施例３につき、図７を参照して説明する。図７は実施例３にかかる電流検出装置の磁電変換部７００を示す図（断面図）である。なお、この実施例３の各部について図３に示す実施例１における磁電変換部１００の各部と同一部分は同一符号で示す。
この実施例３が、実施例１と相違する点は、実施例１ではコイル部１２０ならびに１３０の２つのコイル部により構成されているのに対し、実施例３では、コイル部７１０、７２０、７３０、７４０の４つのコイル部により構成されている点である。
【００５１】
１１０は一次導体で、鉄、銅等の導電性のある金属により構成されており、負荷電流を導通し、負荷電流に対応した磁界を発生する。
【００５２】
７１０、７２０、７３０、７４０はコイル部で、フェノールやベークのような導電性のない芯材にエナメル線のような導線が巻きつけられたコイルであり、一次導体１１０に流れる電流に対応した電気信号を出力する。なお、コイル部７１０、７２０、７３０，７４０は中空構造の芯材を有するものであっても良いし、内部まで材質が充填されている芯材を有するものであっても良い。フェライトやパーマロイ等の磁性体を芯材とするものであってもよい。また、コイル部７１０、７２０、７３０、７４０は芯材を具備せず、融着材料や接着剤等の接合剤によりコイル導線同士が接合されてコイルが形成されたものであってもよい。
【００５３】
７５０、７６０、７７０、７８０は支持部で、フェライトやパーマロイ等の磁性体により構成されており、支持部７８０と７５０はコイル部７１０を、支持部７５０と７６０はコイル部７２０を、支持部７６０と７７０はコイル部７３０を、支持部７７０と７８０はコイル部７４０を支える。
【００５４】
コイル部７１０、７２０、７３０、７４０は、一次導体１１０に流れる電流により発生された磁界を受け、当該電流に対応した電気信号をコイル導線に発生する。コイル部７１０、７２０、７３０、７４０は、電気的に直列接続となるように接続されている。また、電気的に直列接続されたコイル部７１０、７２０、７３０、７４０のコイル導線の端は、出力端子１７０、１８０に接続されており、出力端子１７０、１８０には一次導体１１０に流れる電流に対応した電気信号が出力される。コイル部７１０、７２０、７３０、７４０の芯材は中空構造であっても良いし内部まで芯材を形成する材質が充填されていても良い。また、フェライトやパーマロイ等の磁性体により構成されていても良い。また、コイル部７１０、７２０、７３０、７４０は芯材を具備せず、融着材料や接着剤等の接合剤によりコイル導線同士が接合されてコイルが形成されたものであってもよい。
【００５５】
支持部７５０、７６０、７７０、７８０は、各コイル部７１０、７２０、７３０、７４０を機械的に固定する。また、支持部７５０、７６０、７７０、７８０は、フェライトやパーマロイ等の磁性体により構成されており磁気抵抗が低いため、一次導体１１０に流れる電流により発生された磁界を各コイル部７１０、７２０、７３０、７４０に伝達する。コイル部７１０、７２０、７３０、７４０、支持部７５０、７６０，７７０、７８０により一次導体１１０を周回した構成となっているため、ビオ・サバールの法則、アンペールの周回積分の法則により、各コイル部に対し一次導体１１０の位置がずれても精度よく、一次導体１１０に流れる電流を検出することができる。
【００５６】
本実施例を用いれば、製造に手間がかからない、高精度な電流検出装置を提供することができる。
【００５７】
コイル部７１０、７２０、７３０、７４０は円柱状にエナメル線等のコイル導線が巻きつけられて製作されるため、ドーナツ状の芯材にコイル導線が巻きつけられて製作されるトロイダル型のコイルより製造が容易である。
【００５８】
また、コイル部７１０、７２０、７３０、７４０は同一部品であり、コイル部の製造が容易であるとともに、コイル部を構成する芯材も同一部品とすることができ、芯材の製造に要する型等も節約することができる。
【００５９】
また、支持部７５０、７６０、７７０、７８０は同一部品であり製造が容易であるとともに、支持部の製造に要する型等も節約することができ経済的である。
【００６０】
また、支持部７６０が、コイル部７２０、７３０に対し着脱可能なように電流検出装置を構成すれば、クランプ型の電流検出装置とすることが可能である。
【００６１】
本発明を用いれば、製造に手間がかからない、高精度な電流検出装置を提供することができる。
【００６２】
［実施例４］
本発明による電流検出装置を利用した電力量計の実施例につき、図８を参照して説明する。図８は電力量計の一構成例を示すブロック図である。
【００６３】
８０１は電流検出部で、実施例１に示す電流検出装置１００、実施例２に示す電流検出装置６００、実施例３に示す電流検出装置７００がこれに該当する。電流検出部８０１は、需要家の負荷にて使用される使用電流（Ａ１）を検出し、当該使用電流に応じた低レベルの電気信号に変換し出力する。
【００６４】
８０２は電圧検出部で、電圧トランスやアテネッタ等の分圧抵抗器等により構成されており、需要家の負荷にて使用される使用電圧（Ｖ１）を検出し、当該使用電圧に正比例した低レベルの電気信号に変換し出力する。
【００６５】
８０３は電力演算部で、デジタル乗算回路やＤＳＰ（デジタル・シグナル・プロサ）等により構成されており、電流検出部７０１から出力された使用電流（Ａ１）に関する信号と、電圧検出部８０２から出力された使用電圧（Ｖ１)に関する信号とを乗算し、需要家の使用電力に正比例したデータ（Ａ１・Ｖ１）に変換する。さらに電力演算部８０３は使用電力に正比例したデータ（Ａ１・Ｖ１）の演算結果を使用量データとして編集し出力する。なお、ここで使用量データとは需要家の負荷にて使用される総積算使用電力量ならびに各時間帯毎の時間帯使用量等、需要家の使用電力に関するデータをいう。また、電流検出部８０１から出力された使用電流（Ａ１）に関する信号は、使用電流（Ａ１）が微分された信号に正比例した信号であるため、需要家の使用電力に正比例したデータ（Ａ１・Ｖ１）に変換される前に、電力演算部８０３にて積分される。
【００６６】
８０４は表示部で液晶表示器等により構成されており、使用量データを表示する。
【００６７】
本実施例を用いれば、製造に手間がかからない、高精度な電流検出装置を有する電力量計を提供することができる。
【符号の説明】
【００６８】
１００    電流検出装置本体
１１０    一次導体
１２０、１３０    コイル部
１４０、１５０    支持部
１６０    接続部
１７０、１８０    出力端子
２０１、２０２、２０３、２０４    凹部
４０１、４０２    線材
４０３    線材
５０１    接続線
５０２    中間端子
５１０    後段回路
５１１    接地電位
５２０    シールド線
６１０、６２０    コイル部
６３０、６４０    支持部
６３１、６３２、６４１、６４２    凹部
７１０、７２０、７３０、７４０    コイル部
７５０、７６０、７７０、７８０    支持部
７５１、７５２    凹部
７６１、７６２    凹部
７７１、７７２    凹部
７８１、７８２    凹部
８０１    電流検出部
８０２    電圧検出部
８０３    電力演算部
８０４    表示部
【図１】
2010256141.tif 000003
【図２】
2010256141.tif 000004
【図３】
2010256141.tif 000005
【図４】
2010256141.tif 000006
【図５】
2010256141.tif 000007
【図６】
2010256141.tif 000008
【図７】
2010256141.tif 000009
【図８】
2010256141.tif 000010